(57)【特許請求の範囲】
【請求項１】
（ａ）非イオン界面活性剤１０〜６０重量％、（ｂ）２−デシル−テトラデシル硫酸塩、３，５，５−トリメチルヘキシル硫酸塩、及び２−エチルヘキシル硫酸塩から選ばれる分岐鎖アルキル硫酸塩０．１〜４０重量％並びに（ｃ）抗菌剤０．１〜２０重量％を含有する液体洗浄剤組成物であって、
（ｃ）抗菌剤が、（ｃ−２）２０℃における水１００ｇへの溶解度が１ｇ以上、炭素数８〜１６のアルキル基を少なくとも１つ有する水溶性カチオン系抗菌性化合物であって、下記一般式（１）〜（２）の化合物から選ばれる１種以上の抗菌性化合物である、
液体洗浄剤組成物。
【化１】
0004566314.tif 000007
〔式中、Ｒ1は炭素数５〜１６のアルキル基、Ｒ6は炭素数８〜１６のアルキル基であり、Ｒ2、Ｒ3は炭素数１〜３のアルキル基又はヒドロキシアルキル基である。Ｘは−ＣＯＯ−、−ＯＣＯ−、−ＣＯＮＨ−、−ＮＨＣＯ−又は
【化２】
0004566314.tif 000008
である。Ｒ4は炭素数１〜３のアルキレン基であり、Ｒ5は炭素数１〜６のアルキレン基又は−(Ｏ−Ｒ7)n−である。ここでＲ7はエチレン基又はプロピレン基であり、ｎは１〜１０の数である。ｍは０又は１である。Ｙ−は陰イオン基である。〕
【請求項２】
（ａ）非イオン界面活性剤が、次の一般式（４）及び（５）で表される化合物の少なくとも一種である請求項１記載の液体洗浄剤組成物。
Ｒ12Ｏ(ＥＯ)jＨ      （４）
〔式中、Ｒ12は平均炭素数８〜２０の一級の分岐鎖アルキル基又は二級のアルキル基である。ＥＯはエチレンオキシドであり、ｊは平均付加モル数として５〜２０である。〕
Ｒ13Ｏ[(ＥＯ)k／(ＰＯ)l]Ｈ        （５）
〔式中、Ｒ13は平均炭素数８〜２０の一級のアルキル基である。ＥＯはエチレンオキシド、ＰＯはプロピレンオキシドを示す。ｋ及びｌは平均付加モル数であり、ｋは５〜１５、ｌは１〜５である。ＥＯとＰＯはランダム付加でもブロック付加でもよい。〕
【請求項３】
（ａ）非イオン界面活性剤が、前記一般式（４）で表される化合物であって、且つ一般式（４）中のＲ12が平均炭素数８〜２０の二級のアルキル基の化合物である、請求項２記載の液体洗浄剤組成物。
【発明の詳細な説明】
【０００１】
【発明の属する技術分野】
本発明は衣料用液体洗浄剤組成物に関する。
【０００２】
【従来の技術】
近年、衛生に対する意識が高まっており、洗濯用洗剤分野においても、洗濯後衣料の生乾き臭や洗濯後長期貯蔵による異臭の発生を抑制するという、抗菌による効果を奏した製品が上市されている。また、漂白剤の多くは抗菌効果を有することから、洗濯用洗剤に塩素系や酸素系の漂白剤を添加する試みは以前からなされていた。しかし、抗菌効果の高いことが知られている塩素系漂白剤は色柄物の色落ちの問題が広く知られている。酸素系の漂白剤についても色落ちの問題があり、金属等の存在下における脱色が知られており、又一般に弱アルカリ性である衣料用重質液体洗剤に安定配合するのは困難であることが当業界では明らかである。
【０００３】
一方、衛生分野の洗浄剤に広く使用されているカチオン系の抗菌剤は、抗菌スペクトル帯が広く速効性に特徴があることから衣料用洗剤に配合する試みがなされている。しかし、界面活性剤としてアニオン性界面活性剤を使用した場合や、タンパク等の陰イオン電荷を有する物質の存在下においては、カチオン系抗菌剤の活性は大幅に低下してしまうという問題があった。特開平１−１９７５９８号公報には、ノニオン界面活性剤を主成分として特定のアニオン界面活性剤、カチオン系界面活性剤タイプの抗菌剤、更に安息香酸塩を配合した抗菌効果を示す安定な液体洗濯用洗剤が開示されている。しかし、上記特許公報に開示されている組成物は、抗菌剤の被洗浄物への残留性が低いという問題があり、洗浄浴中での菌の減少は認められるものの、乾燥工程における菌の増殖に対する効果は十分とはいえなかった。
【０００４】
【発明が解決しようとする課題】
本発明の課題は抗菌効果、特に被洗浄物への残留による抗菌効果に優れ、製品保存安定性の良好な衣料用液体洗浄剤組成物を提供することにある。
【０００５】
【課題を解決するための手段】
本発明は、（ａ）非イオン界面活性剤１０〜６０重量％、（ｂ）分岐鎖アルキル硫酸塩０．１〜４０重量％及び（ｃ）抗菌剤０．１〜２０重量％を含有する液体洗浄剤組成物に関する。
【０００６】
本発明における好ましい液体洗浄剤組成物は、木綿金巾＃２００３に液体洗浄剤組成物１重量％を均一に付着させた布を用い、ＪＩＳ  Ｌ  １９０２「繊維製品の抗菌性試験法」に準じた方法で抗菌性試験を行い阻止帯が見られるものである。
【０００７】
【発明の実施の形態】
（ａ）成分
本発明の（ａ）成分である非イオン界面活性剤は、例えばアルキル基の炭素数が８〜２０の脂肪族アルコール、アルキル基の炭素数が９〜２１の脂肪酸及び脂肪酸アルキルエステル、アルキル基の炭素数が８〜２０の脂肪族アミン等の、非共有電子対を持つ原子を１つ以上有する化合物にエチレンオキシド（以下ＥＯ）、プロピレンオキシド（以下ＰＯ）を常法に従い付加させたもの、糖由来のポリオールを親水基とするもの、あるいは脂肪酸アミド系のもの等が挙げられる。
【０００８】
（ａ）成分の非イオン界面活性剤としては、次の一般式（４）及び（５）にて示される非イオン界面活性剤の少なくとも１つが好ましい。
Ｒ12Ｏ(ＥＯ)jＨ          （４）
〔式中、Ｒ12は平均炭素数８〜２０、好ましくは１０〜１８の一級の分岐鎖アルキル基又は二級のアルキル基である。ＥＯはエチレンオキシドであり、ｊは平均付加モル数として５〜２０である。〕
Ｒ13Ｏ[(ＥＯ)k／(ＰＯ)l]Ｈ      （５）
〔式中、Ｒ13は平均炭素数８〜２０、好ましくは１０〜１８の一級のアルキル基である。ＥＯはエチレンオキシド、ＰＯはプロピレンオキシドを示す。ｋ及びｌは平均付加モル数であり、ｋは５〜１５、ｌは１〜５である。ＥＯとＰＯはランダム付加でもブロック付加でもよい。ブロック付加の場合はＥＯを付加した後、ＰＯを付加してもよく、またその逆でもよい。〕。
【０００９】
一般式（４）又は（５）の非イオン界面活性剤は、通常市販されているものを使用してもよく、また周知の方法で合成されたもしくは天然油脂から誘導されたＲ12又はＲ13のアルキル基を有するアルコールにＥＯ又はＥＯ及びＰＯを公知の方法で付加することによって製造することができる。
【００１０】
ＥＯとＰＯの付加方法がランダムであるか、ブロックであるか又はブロック付加の際の末端がＥＯであるか、ＰＯであるかの違いによって、本発明の液体洗浄剤組成物の性質は変わってくるが、本発明においてこれらの性質の違いは、基本的には既に知られている通りである。
【００１１】
また、非イオン界面活性剤として下記一般式（６）で示される非イオン界面活性剤を用いることで、特にエリ・そで口汚れに対する高洗浄力を得ることができる。
Ｒ14Ｏ(ＥＯ)p(ＰＯ)q(ＥＯ)rＨ    （６）
〔式中、Ｒ14は炭素数８〜２０の直鎖のアルキル基又はアルケニル基である。ＥＯはエチレンオキシド、ＰＯはプロピレンオキシドを示す。ｐ、ｑ及びｒは平均付加モル数を表しｐ＞０、ｑ＝１〜４、ｒ＞０、ｐ＋ｑ＋ｒ＝６〜１４、ｐ＋ｒ＝５〜１２である。好ましくはｐ＋ｑ＋ｒ＝７〜１４、ｐ＋ｒ＝６〜１２、ｑ＝１〜２である。〕。
【００１２】
一般式（６）の非イオン界面活性剤は、周知の方法で合成された、もしくは天然油脂から誘導されたＲ14のアルキル基を有するアルコールにＥＯ、ＰＯの順序で付加した後、再度ＥＯを付加することで合成される。
【００１３】
非イオン界面活性剤としては、上記に示したもの以外に次の一般式（７）
Ｒ15−(ＯＲ16)xＧy        （７）
〔式中、Ｒ15は直鎖又は分岐鎖の炭素数８〜１８のアルキル基、アルケニル基、又はアルキルフェニル基、Ｒ16は炭素数２〜４のアルキレン基、Ｇは炭素数５又は６の還元糖に由来する残基、ｘは平均値０〜６の数、ｙは平均値１〜１０の数を示す。〕
で表されるアルキル多糖界面活性剤、脂肪酸アルカノールアミド、ポリヒドロキシ脂肪酸アミド等が配合できる。
【００１４】
本発明の液体洗浄剤組成物は、（ａ）成分の非イオン界面活性剤を１０〜６０重量％、好ましくは１０〜４０重量％含有する。
【００１５】
（ｂ）成分
本発明における分岐鎖アルキル硫酸塩は、洗浄性能及び抗菌性能の点で、主鎖の炭素数４〜１６、合計炭素数５〜２４の分岐鎖アルキル基を有するものが好ましく、分岐鎖アルキル基は、主鎖の炭素数６〜１４、合計炭素数７〜２０がより好ましく、主鎖の炭素数６〜１０、合計炭素数７〜１７が更に好ましい。
【００１６】
また、対イオンとしてはナトリウム、カリウム等のアルカリ金属、マグネシウム等のアルカリ土類金属、モノ、ジ、トリエタノールアミン等のアルカノールアミン等が挙げられる。
【００１７】
本発明の液体洗浄剤組成物は、このような分岐鎖アルキル硫酸塩（ｂ）を０．１〜４０重量％、好ましくは１〜３５重量％、更に好ましくは１．５〜３０重量％含有する。洗浄性能及び抗菌性能の点から１重量％以上であり、水への分散性の点で５０重量％以下である。
【００１８】
（ｃ）成分  （ｃ）成分の抗菌剤としては、木綿金巾＃２００３に該化合物１重量％を均一に付着させた布を用いＪＩＳ  Ｌ  １９０２「繊維製品の抗菌性試験法」に準じた方法で抗菌性試験を行い阻止帯が見られる化合物が好ましい。  本発明の液体洗浄剤組成物は、（ｃ）成分の抗菌剤を、洗浄性能及び抗菌性能の点から、０．１〜２０重量％、好ましくは０．５〜１５重量％、より好ましくは１〜１０重量％含有する。
【００１９】
抗菌剤（ｃ）は、下記（ｃ−１）〜（ｃ−３）の抗菌性化合物から選ばれる１種以上が好ましく、（ｃ−１）〜（ｃ−２）の抗菌性化合物から選ばれる１種以上が更に好ましく、（ｃ−２）の抗菌性化合物が特に好ましい。
（ｃ−１）２０℃における水１００ｇへの溶解度が１ｇ以下、好ましくは０．５ｇ以下、分子量が１００〜４２０、好ましくは１５０〜４１０の、４級アンモニウム基を含有しない水不溶性の抗菌性化合物であり、且つ、融点が４０℃以上の抗菌性化合物（但し、有機過酸又は有機過酸化物は除く）
（ｃ−１）の性質を満たす化合物として好ましいものはトリクロサン、ビス−（２−ピリジルチオ−１−オキシド）亜鉛、２，４，５，６−テトラクロロイソフタロニトリル、トリクロロカルバニリド、８−オキシキノリン、デヒドロ酢酸、安息香酸エステル類、クロロクレゾール類、クロロチモール、クロロフェン、ジクロロフェン、ブロモクロロフェン、ヘキサクロロフェンから選ばれる１種以上である。特にトリクロサンが臭いの抑制効果の点で好ましい。また、特開平１１−１８９９７５に記載されているトリクロサン類自体も良好であり、具体的にはジクロロヒドロキシジフェニリエーテル、モノクロロヒドロキシジフェニルエーテルが好ましい。
（ｃ−２）２０℃における水１００ｇへの溶解度が１ｇ以上、炭素数８〜１６のアルキル基を少なくとも１つ有する水溶性カチオン系抗菌性化合物
（ｃ−２）の化合物としては、一般式（１）〜（３）で表される化合物から選ばれる１種以上が好ましい。
【００２０】
【化４】
0004566314.tif 000002
【００２１】
〔式中、Ｒ1及びＲ6は炭素数５〜１９のアルキル基又はアルケニル基であり、Ｒ2、Ｒ3は炭素数１〜３のアルキル基又はヒドロキシアルキル基である。Ｘは−ＣＯＯ−、−ＯＣＯ−、−ＣＯＮＨ−、−ＮＨＣＯ−又は
【００２２】
【化５】
0004566314.tif 000003
【００２３】
である。Ｒ4は炭素数１〜３のアルキレン基であり、Ｒ5は炭素数１〜６のアルキレン基又は−(Ｏ−Ｒ7)n−である。ここでＲ7はエチレン基又はプロピレン基であり、ｎは１〜１０の数である。ｍは０又は１である。Ｙ-は陰イオン基、好ましくはハロゲンイオン、炭素数１〜３のアルキル硫酸イオン又は脂肪酸イオンである。〕
【００２４】
【化６】
0004566314.tif 000004
【００２５】
〔式中、Ｒ8〜Ｒ11の中で２つ以上は炭素数８〜１０のアルキル基であり、それ以外は炭素数１〜３のアルキル基又はヒドロキシアルキル基好ましくはメチル基、エチル基、ヒドロキシエチル基である。Ｙ-は陰イオン基、好ましくはハロゲンイオン、炭素数１〜３のアルキル硫酸イオン又は脂肪酸イオンである。〕。
【００２６】
一般式（１）において、▲１▼Ｘがパラフェニレン基（−Ｃ6Ｈ4−）でｍ＝１の場合、Ｒ1は好ましくは炭素数５〜１６、更に好ましくは炭素数６〜１３、最も好ましくは炭素数７〜１０のアルキル基であり、Ｒ5は好ましくは−(Ｏ−Ｒ7)n−基であり、Ｒ7は好ましくはエチレン基であり、ｎは好ましくは１〜５の数であり、Ｒ2及びＲ3は好ましくはメチル基又はヒドロキシエチル基であり、Ｒ4は好ましくはメチレン基である。また、一般式（１）において、▲２▼ｍ＝０の場合あるいは▲３▼Ｘが−ＣＯＯ−、−ＯＣＯ−、−ＣＯＮＨ−、−ＮＨＣＯ−でｍ＝１の場合、Ｒ1は好ましくは炭素数７〜１８、更に好ましくは炭素数９〜１７、最も好ましくは炭素数１１〜１６のアルキル基であり、Ｒ5は好ましくはメチレン基であり、Ｒ2及びＲ3は好ましくはメチル基又はヒドロキシエチル基であり、Ｒ4は好ましくはメチレン基である。
【００２７】
一般式（２）において、Ｒ6は好ましくは炭素数８〜１８、更に好ましくは炭素数１１〜１７のアルキル基である。
【００２８】
また、一般式（３）において、好ましくはＲ8〜Ｒ11のうち２つが炭素数８〜１０のアルキル基であり、残りの２つがメチル基又はヒドロキシエチル基である。
【００２９】
本発明では、一般式（３）の化合物を単独でも使用できるが、一般式（１）及び一般式（２）の少なくとも１つの化合物と併用することが効果の点で好ましく、重量比は〔一般式（３）の化合物〕／〔一般式（１）の化合物＋一般式（２）の化合物〕＝１／１０〜１０／１、特に１／５〜５／１が好ましい。
【００３０】
なお、上記の溶解度は、（ｃ）成分１ｇを量り、これに（ｃ）成分が完全に溶けるまで２０℃の水を加えることにより、水１００ｇ中の（ｃ）成分のグラム数を求めることができる。
【００３１】
（ｃ−３）として、２−（４−チオシアノメチルチオ）ベンズイミダゾール、ポリリジン、ポリヘキサメチレンビグアニリド及びグルクロン酸クロルヘキシジンから選ばれる一種以上の化合物が挙げられる。
【００３２】
本発明の液体洗浄剤組成物には、界面活性剤として、（ｂ）成分以外の陰イオン界面活性剤、（ｃ）成分以外の陽イオン界面活性剤、両性界面活性剤を配合しても良い。
【００３３】
陰イオン界面活性剤としては、アルキルベンゼンスルホン酸又はその塩、アルキル又はアルケニルエーテル硫酸塩（但し分岐鎖アルキル基を有するものを除く）、直鎖アルキル又はアルケニル硫酸塩、オレフィンスルホン酸塩、アルカンスルホン酸塩、脂肪酸又はその塩、アルキル又はアルケニルエーテルカルボン酸塩、α−スルホ脂肪酸塩又はそのエステルが挙げられる。特に炭素数が１０〜２０のアルキルベンゼンスルホン酸又はその塩、アルキル又はアルケニルエーテル硫酸塩、直鎖アルキル又はアルケニル硫酸塩、脂肪酸又はその塩が好ましい。
【００３４】
陰イオン界面活性剤の対イオンとしては（ｂ）成分に記載したものが挙げられるが、特にアルカノールアミンを用いることで液安定性が向上する。また、陰イオン界面活性剤を酸形態で組成中に配合してもよく、別途添加したアルカリ剤（アルカノールアミン等）で中和してもよい。
【００３５】
また風合いを向上させるためには、モノ長鎖アルキル４級アンモニウム塩等の（ｃ）成分以外の陽イオン界面活性剤を併用することが好ましい。
【００３６】
両性界面活性剤としてはアミンオキサイド、アルキルカルボベタイン、アルキルスルホベタイン、アルキルアミドヒドロキシスルホベタイン、アルキルアミドアミン型ベタイン、アルキルイミダゾリン型ベタイン等が配合できる。
【００３７】
本発明には、従来より洗剤に配合することが知られている任意成分を配合することができる。このような任意成分として、エタノール等のアルコール類、エチレングリコール、分子量２００以上〜数千位の低分子量のポリエチレングリコール及びプロピレングリコール等のグリコール類、パラトルエンスルホン酸、安息香酸塩（防腐剤としての効果もある）並びに尿素等の減粘剤や可溶化剤；相調整剤及び洗浄力の向上のためのポリオキシアルキレンベンジルエーテル、ポリオキシアルキレンフェニルエーテル；２価金属イオン捕捉能を有する多価カルボン酸塩としてニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、マロン酸、コハク酸、ジグリコール酸、リンゴ酸、酒石酸、クエン酸等の塩；ポリビニルピロリドン等の色移り防止剤；アミラーゼ、プロテアーゼ、リパーゼ、セルラーゼ等の酵素；塩化カルシウム、硫酸カルシウム、ギ酸、ホウ酸（ホウ素化合物）等の酵素安定化剤；チノパールＣＢＳ（チバスペシャルティケミカルス社製）、ホワイテックスＳＡ（住友化学社製）等の蛍光染料；柔軟性付与を目的としたシリコーン；消泡剤としてのシリカ、シリコーン；ブチルヒドロキシトルエン、ジスチレン化クレゾール、亜硫酸ナトリウム、亜硫酸水素ナトリウム等の酸化防止剤；そのほか蛍光染料；青味付け剤；香料；抗菌防腐剤等が挙げられる。
【００３８】
本発明の液体洗浄剤組成物のｐＨは７．５〜１１（２５℃）が好ましい。ｐＨはアルカリ剤を配合して調整することが好ましい。アルカリ剤としては、モノエタノールアミン、ジエタノールアミン、トリエタノールアミン、メチルモノエタノールアミン、ジメチルエタノールアミン、３−アミノプロパノール等のアルカノールアミン類、水酸化ナトリウム、水酸化カリウム等、珪酸ナトリウム、炭酸ナトリウム等の無機塩類を使用することができ、特にモノエタノールアミン、水酸化ナトリウム、水酸化カリウムから選ばれる１種以上が好ましい。
【００３９】
【実施例】
実施例１〜４、比較例１〜２
表１に示す液体洗浄剤組成物を調製し、得られた組成物を用いて抗菌性及び液安定性の評価を行った。その結果を表１に示す。
【００４０】
〔液安定性の評価〕
５０ｍＬのサンプルビン（Ｎｏ．６広口規格ビン、ガラス製、直径４０ｍｍ、高さ８０ｍｍの円筒形）に、液体洗浄剤組成物を４０ｍＬ充填し、蓋をした後、２５℃の恒温室で３０日間静置した。液体の安定性は目視で外観を下記の基準で判定した。
○；均一液体相であり、液安定性に優れる。
△；やや分離又は析出しているように見えるが気にならない程度である。
×；分離又は析出が認められる。
【００４１】
〔抗菌性の評価〕
▲１▼着用済み肌着の作成
木綿の肌着を１２時間着用し、液体洗浄剤組成物で洗濯し、乾燥させた。これを３０回繰り返し、着用済み肌着を作成した。それぞれの洗濯は次のように行った。洗濯機〔東芝（株）製、銀河３．６（ＶＨ−３６０Ｓ１）〕の洗濯槽に、１０℃の水道水３０Ｌ、肌着１．５ｋｇ、液体洗浄剤組成物２０ｍＬを入れ、弱反転撹拌で１０分間洗浄後、５分間脱水した。次に１０℃の水道水３０Ｌで弱反転撹拌で１０分間濯いだ後、５分間脱水した。
▲２▼抗菌試験
上記の方法で着用済み肌着を２ｃｍ×２ｃｍに裁断し、２枚を遠沈管（井内盛栄堂社製、容量５０ｍｌ、滅菌済み）に入れた。次に菌液〔Staphylococcus aureus IFO１２７３２（黄色ブドウ球菌）１×１０9 cells/ml〕０．１ｍｌを添加し、更に液体洗浄剤組成物を滅菌水で希釈した５重量％溶液１０ｍｌを添加し、５分間攪拌した。次に処理した布を滅菌水２０ｍｌで１分間撹拌し濯いだ。次に布を取り出し、３０℃、相対湿度８５％で８時間乾燥させた。次に布を取り出し、滅菌した生理食塩水２０ｍｌで布を抽出した。この抽出液０．１ｍｌをＳＣＤＬＰ寒天培地に塗沫し、３７℃／２４時間培養し、選られた菌のコロニー数をカウントした。布１ｃｍ2当たりのコロニー数が１×１０3 cells未満の場合を○、１×１０3 cells以上、１×１０5 cells未満を△、１×１０5 cells以上を×とした。
【００４２】
【表１】
0004566314.tif 000005
【００４３】
（注）表１中の成分を下記に示す。
・非イオン界面活性剤１：炭素数１０〜１４の直鎖第２級アルコールにＥＯを平均８モル付加させたもの・非イオン界面活性剤２：炭素数１０〜１４の直鎖第１級アルコールにＥＯを平均１２モル付加させたもの・非イオン界面活性剤３：炭素数１０〜１４の直鎖第１級アルコールにＥＯを平均５モル、ＰＯを平均２モル、ＥＯを平均３モルの順にブロック付加させたもの・非イオン界面活性剤４：炭素数１０〜１４の直鎖第１級アルコールにＥＯを平均８モル、ＰＯを平均２モルランダム付加させたもの
・分岐鎖ＡＳ−１：２−デシル−テトラデシル硫酸ナトリウム
・分岐鎖ＡＳ−２：３,５,５−トリメチルヘキシル硫酸ナトリウム
・分岐鎖ＡＳ−３：２−エチルヘキシル硫酸ナトリウム
【００４４】
【化７】
0004566314.tif 000006
【００４５】
・ＥＳ：ポリオキシエチレンアルキルエーテル硫酸塩（炭素数１２／１４の直鎖アルキル、エチレンオキシド平均付加モル数３、ナトリウム塩）
・ＬＡＳ：炭素数１０〜１４の直鎖アルキルベンゼンスルホン酸
・脂肪酸：ヤシ脂肪酸
・ポリアクリル酸ナトリウム：重量平均分子量１００００
・酵素：デュラザイム１６．０Ｌ（プロテアーゼ、ノボノルディスクバイオインダストリー株式会社製）
・蛍光染料：チノパールＣＢＳ−Ｘ（チバスペシャリティケミカルス社製）